(57)【要約】      （修正有）【課題】光を指の爪に集中させることができるだけでなく、紫外線を、各種角度から均一に弧形の指の爪の上に照射させることができる上、機体の外部への反射を抑制するため、安全に使用でき、エネルギーの浪費を避けることが可能な、ネイル照射機を提供する。【解決手段】任意の形の底板１０とアーチ型のケース２０により照射空間を形成させてなる。複数の照射光源セット３０を、それぞれ、環状に分布するように、ケースの頂部と両側部に設け、前記照射光源セット３０は、光源体と放熱片とを備え、ケース頂部に設けられた照射光源セットの光線の投射方向は、前方、即ちケース２０と底板１０が形成する空間の開口側の箇所に向いていることを特徴とする。【選択図】図１
0003179950.tif 000002
【実用新案登録請求の範囲】
【請求項１】
少なくとも、底板と、ケースと、複数の照射光源セットと、からなるネイル照射機であって、
ケースは、アーチ型であるとともに、底板の上方に被せられ、それにより、ケースと底板の間は空間を形成し、
複数の照射光源セットは、それぞれ、環状に分布するように、ケースの頂部と両側部に設けられ、前記照射光源セットは、光源体と放熱片を備え、ケース頂部に設けられた照射光源セットの光線が投射される方向は、少し前方、即ち、ケースと底板が形成する空間の開口側が延伸した箇所であることを特徴とする、ネイル照射機。
【請求項２】
ケースの上方の頂部には、折り曲げ部が設けられ、前記折り曲げ部の底部の垂直線は、少し前方、即ち、ケースと底板が形成する空間の開口側が延伸した箇所の方を向いていることを特徴とする、請求項１に記載のネイル照射機。
【請求項３】
前記ケース頂部の折り曲げ部は、外から内へ凹んだ溝状であることを特徴とする、請求項２に記載のネイル照射機。
【請求項４】
前記ケース頂部の折り曲げ部は、内から外に盛り上がった形状であることを特徴とする、請求項２に記載のネイル照射機。
【請求項５】
ケースの内側には黒色コーティング層が設けられることを特徴とする、請求項１に記載のネイル照射機。
【請求項６】
底板の表面には、黒色のコーティング層が設けられることを特徴とする、請求項１に記載のネイル照射機。
【考案の詳細な説明】
【技術分野】
【０００１】
本考案はネイル照射機に関し、特に指の爪をネイルアート或いは美しく整えた後の紫外線を照射する機器に関する。
【背景技術】
【０００２】
指の爪の美容には、ネイルアート、やすりがけ、絵付け等があり、主に、マニキュア、ラインストーン、及び接着剤を、手の指や足の指に塗る。特に、外観を美しくするためのある種の色付けは、上塗りが必要であり、つまり、何回にも渡り、着色或いはけずったり塗ったりする手順が必要である。従って、毎回の手順の途中で、マニキュアや接着剤が乾くのを待たないと、次の手順に進むことができない。時間を節約し、マニキュア或いは接着剤を素早く凝固させるために、通常は、紫外線のネイル照射機を使用して、指の爪を照射し、それにより、使指の爪の上のマニキュア或いは接着剤を素早く乾かし凝固させる。台湾特許第Ｍ４２７８３８号は、比較的新しく、よく見られる設計である。
【０００３】
図６、図７を参照する。図６、図７は、前述した従来よく使われているネイル照射機の照射構造を示した概略図である。従来は、主に、開口５１を備えるボックス型ケース５０の内部の頂部に、複数の光源体６０を密集して設けてなる。光源体６０は、一般的に、紫外線の発光ダイオードであり、手の指或いは足の指には、長さの違いがあるが、上方の光源体６０は、各種大きさの手の指或いは足の指、或いは、左、右の手の指或いは足の指の爪に、いずれも適応させることができ、しかも、十分に照射させることができる。光源体６０は、通常、マトリックス式で排列される。この種の設計により、大きな照射領域を提供できるものの、光線は上から下へ垂直に照射されるため、手（足の）手の甲は、大面積且つ大量の紫外線を長期間照射され、皮膚に病気が生じてしまう。
【０００４】
また、製造する際、ボックス型ケース５０の底部５２を銀色或いは露出させた金属の色合いにすると、外観は美しいものの、上方の大きな光源体６０から生じる紫外線が直接或いは間接的に反射され、ボックス型ケース５０の開口５１箇所からもれ出てしまう。実際のテストによると、大部分が、手及び目（顔面）に大量の紫外線が照射され、人体に危害が及ぶ。これらは、いずれも、従来の光源の設計がもたらす欠点であり、前記の機具が最も改善すべき点である。
【０００５】
また、大量の光源体６０が密集して設けられており、それにより生じた大量の熱エネルギーがボックス型ケース５０内にとどまるため、高速或いは大きなファンを使用して熱を放出する必要がある。従って、体積が増えると同時に、製造コストが上がり、エネルギーの無駄にもなることが、もう一つの欠点である。
【先行技術文献】
【特許文献】
【０００６】
【特許文献１】台湾特許第Ｍ４２７８３８号明細書
【考案の概要】
【考案が解決しようとする課題】
【０００７】
そこで、本考案は、光を指の爪に集中させることができるだけでなく、紫外線を、各種角度から均一に弧形の指の爪の上に照射させることができる上、機体の外部への反射を抑制するため、安全に使用でき、エネルギーの浪費を避けることが可能な、ネイル照射機を提供することを目的とする。
【０００８】
また、本考案は、照射光源セットを安定して設置することが可能なネイル照射機を提供することを目的とする。
【０００９】
また、本考案は、光線が機体の外へ反射するのを防ぎ、使用が安全である、ネイル照射機を提供することを目的とする。
【課題を解決するための手段】
【００１０】
本考案によるネイル照射機は、主に、任意の形の底板とアーチ型のケースにより照射空間を形成させてなる。本考案の特徴は、複数の照射光源セットを、それぞれ、環状に分布するように、ケースの頂部と両側部に設け、前記照射光源セットは、光源体と放熱片とを備え、ケース頂部に設けられた照射光源セットの光線の投射方向は、前方、即ちケースと底板が形成する空間の開口側の箇所に向いている、という点である。また、本考案は、ケース頂部に折り曲げ部を設け、この折り曲げ部の照射光源セットの光線投射方向は、前方、即ち、ケースと底板が形成する空間の開口側の箇所を向いている。また、底板或いはケースの内側面に、黒色コーティング層が塗布されている。
【図面の簡単な説明】
【００１１】
【図１】本考案の主な構造を示した組合図である。
【図２】本考案の主な構造を示した分解図である。
【図３】本考案の構造断面図である。
【図４】側面から本考案の照射を説明した図である。
【図５】上から本考案の照射を説明した図である。
【図６】従来の構造を示した概略図である。
【図７】従来の構造を示した断面図である。
【考案を実施するための形態】
【００１２】
図１、図２を参照する。本考案は、少なくとも、底板１０と、ケース２０と、複数の照射光源セット３０、３０１、３０２、３０３、３０４、３０５とからなる。底板１０は、任意の形をした板体であり、底板１０の縁に近い箇所には、複数の透孔１１が設けられ、底板１０の表面には、黒色（光を吸収する）コーティング層４０が設けられ、それにより、上方或いは側面から照らされる紫外線の光が底板１０に到達した後、機体へと反射されるのを防ぐことができる。
【００１３】
図１、図２、図３を参照する。ケース２０は、アーチ型であるとともに、底板１０の上方に被せられ、それにより、ケース２０と底板１０の間に空間が形成される。その内、ケース２０の上方頂部２０１には折り曲げ部２１が設けられ、折り曲げ部２１は、例えば溝状などの凹んだ形状（本考案の図１、図２、図３に図示）であるか、或いは、相対的に盛り上がった形状（本考案では、図示せず）である。なお、折り曲げ部２１自体の底部の垂直線Ｌ（図４に図示）は、少し前方、即ち、ケース２０と底板１０が形成する空間の開口側が延伸した箇所の方向に向いている。
【００１４】
上述のケース２０の内側は、黒色の光を吸収するコーティング層（符合は記載せず）を設けることもでき、それにより、光線の反射を減らすことができる。
【００１５】
複数の照射光源セット３０、３０１、３０２、３０３、３０４、３０５は、それぞれ、環状に分布するように、ケース２０の頂部２０１及び両側部２０２、２０３に設けられる。照射光源セット３０、３０１、３０２、３０３、３０４、３０５は、（紫外線を照射する）光源体３１と、放熱片３２とを備え、環状に設けられた照射光源セット３０１、３０２、３０３、３０４、３０５の光源体３１の前方には、集光カップ３３が設けられる。
【００１６】
本考案の外部には、各種の形の外部ケースをとりつけることができ、それにより、完全な機具を形成させることができる。しかしながら、前記外部ケースの外観の設計に関しては、本考案の特徴ではないため、ここでは記載しないものとする。
【００１７】
図３と図４に示すように、従来技術とは異なる本考案の特徴は、ケース２０頂部２０１に設けられた照射光源セット３０にある。その光線が投射される方向は、少し前方、即ち、ケース２０と底板１０によって形成される空間の開口側が延伸した箇所へと向いている。この特別な設計に合わせるために、照射光源セット３０は、ケース２０の頂部２０１の折り曲げ部２１にぴったりとつけて配置するのが最も好ましい。こうすることで、照射光源セット３０がさらに安定して固定される。
【００１８】
本考案を使用する時は、図４、図５に示すように、手７０（或いは、足）の指の爪にネイルアートした後、ケース２０と底板１０に形成される空間内に入れると、ケース２０に環状に設けらた照射光源セット３０１、３０２、３０３、３０４、３０５によって、対応する指の爪に照射されるだけでなく、ケース２０頂部２０１の照射光源セット３０が前方へ照射することができるため、光束３４を指の爪の上に投射することができる。それにより、元々のその他の照射光源セット３０１、３０２、３０３、３０４、３０５の光束３５と合わさって、弧面を備える指の爪に均一に照射し、ネイルアートしたマニキュア或いは接着剤を素早く凝固させることができる。
【００１９】
本考案を使用すると、以下の利点がある。
１、本考案は、環状の照射光源セットによって、指の爪に対してスポット的に照射することができ、また、上方の照射光源セットは前方ぎみに照射させることができるため、指の爪の表面の弧面に対して均一に照射することができ、素早く照射を完成させることができる。実際の製品テストによると、わずか十秒で完成させることができる。このように、照射時間を大幅に短縮することができることが、本考案の主な利点である。
【００２０】
２、上述のポイント式光源の設計により、光源体を設置する数を大幅に減らすことができ、コストとパワーを節約できるだけでなく、実際のテストによると、本考案は、約十ワットのパワーしか必要としないため、照射する時に灼熱感がなく、従来のマトリックス式排列の照射方式に比べて、本考案は優れている。
【００２１】
３、本考案の底板表面、さらには、ケースの内側には、黒色或いは光の反射を防止するコーティング層が設けられているため、紫外線の反射を抑制でき、使用者の手、顔、及び目が傷つくのを防ぐことができるため、安全に使用できる。
【００２２】
４、本考案は、使用する光源体を少なくし、放熱板と通風透孔を設けることにより、優れた放熱作用を得ることができ、これも、本考案のもう一つの利点である。
【符号の説明】
【００２３】
１０    底板                  
１１    透孔
２０    ケース                                
２０１  頂部
２０２  側部                              
２０３  側部
２１    折り曲げ部                              
３０    照射光源セット
３０１  照射光源セット                  
３０２  照射光源セット
３０３  照射光源セット                  
３０４  照射光源セット
３０５  照射光源セット                  
３１    光源体
３２    放熱片                            
３３    集光カップ
３４    光束
３５    光束
４０    コーティング層    
５０    ケース
５１    開口                                
５２    底部
６０    光源体                            
７０    手
Ｌ      垂直線
【図１】
0003179950.tif 000003
【図２】
0003179950.tif 000004
【図３】
0003179950.tif 000005
【図４】
0003179950.tif 000006
【図５】
0003179950.tif 000007
【図６】
0003179950.tif 000008
【図７】
0003179950.tif 000009